(57)【要約】【課題】切替室に設定された温度帯の温度測定精度を向上させる。【解決手段】貯蔵室と、貯蔵室の設定温度帯の指定をユーザから受付可能な切替手段と、貯蔵室に配された検温抵抗、及び検温抵抗に電気的に接続する抵抗値を変動させる抵抗調整部を有する温度測定部と、を有し、温度測定部は、検温抵抗の周囲温度に応じて変動する電圧値と検温抵抗周囲の温度との対応テーブルを複数有し、切替手段からの指定に応じて、抵抗調整部の状態及び利用する対応テーブルの種類を切替える冷蔵庫。【選択図】  図２
2020051635.tif 000002
【特許請求の範囲】
【請求項１】
貯蔵室と、
該貯蔵室の設定温度帯の指定をユーザから受付可能な切替手段と、
該貯蔵室に配された検温抵抗、及び該検温抵抗に電気的に接続する抵抗値を変動させる抵抗調整部を有する温度測定部と、を有し、
前記温度測定部は、
前記検温抵抗の周囲温度に応じて変動する電圧値と前記検温抵抗周囲の温度との対応テーブルを複数有し、
前記切替手段からの指定に応じて、前記抵抗調整部の状態及び利用する前記対応テーブルの種類を切替える冷蔵庫。
【請求項２】
前記切替手段からの指定を受けてから所定時間経過するまで又は所定の条件を満たすまで待機してから、前記抵抗調整部の状態及び前記対応テーブルの種類を切替えることを特徴とする請求項１に記載の冷蔵庫。
【発明の詳細な説明】
【技術分野】
【０００１】
本発明は、冷蔵庫に関する。
【背景技術】
【０００２】
周囲温度により電気抵抗が変化するサーミスタを用いた温度測定が広く行われている。周囲温度とサーミスタの測定電圧の特性は、調整可能な基準に対して、周囲温度が低すぎる又は高すぎる場合、微小温度変化に対する測定電圧値の変化が小さくなる。このため、周囲温度としてあり得る温度範囲が広い場合、低温側や高温側では検知精度が比較的低下してしまう。
【０００３】
このため、特許文献１のように、サーミスタ１１に常に電気的に接続する主基準抵抗１２と、スイッチング素子１９のＯＮ／ＯＦＦによって接続／非接続が切り替わる副基準抵抗２０とを配して、低温領域と高温領域のいずれを測定するかに応じてスイッチング素子１９を切替えて、いずれに対しても測定精度を高くしようとする構成が知られている（０００９−００１４、図１，２）。Ａ／Ｄ変換手段１５からの信号値を利用して低温領域か否かを判断している（００１１）。
【先行技術文献】
【特許文献】
【０００４】
【特許文献１】特開平５−４５２３１号公報
【発明の概要】
【発明が解決しようとする課題】
【０００５】
特許文献１は、サーミスタを配する貯蔵室の温度帯自体を設定可能な切替室を有する冷蔵庫については何ら検討していない。特許文献１は検知電圧に応じて自動でスイッチング素子１９のＯＮ／ＯＦＦを切替えるため、そのような冷蔵庫に対して適用することは困難である。また、自動でＯＮ／ＯＦＦが切り替わるため、例えば庫内温度が高温域と低温域との境目を何回も跨ぐような環境下にあると、スイッチング素子のＯＮ／ＯＦＦが繰り返されて損失が生じるとともに、検知温度がジャンプを繰り返してしまい、制御精度が却って低下する虞がある。
【課題を解決するための手段】
【０００６】
上記事情に鑑みてなされた本発明は、
貯蔵室と、
該貯蔵室の設定温度帯の指定をユーザから受付可能な切替手段と、
該貯蔵室に配された検温抵抗、及び該検温抵抗に電気的に接続する抵抗値を変動させる抵抗調整部を有する温度測定部と、を有し、
前記温度測定部は、
前記検温抵抗の周囲温度に応じて変動する電圧値と前記検温抵抗周囲の温度との対応テーブルを複数有し、
前記切替手段からの指定に応じて、前記抵抗調整部の状態及び利用する前記対応テーブルの種類を切替える冷蔵庫である。
【図面の簡単な説明】
【０００７】
【図１】実施例の冷蔵庫の断面図
【図２】実施例の温度測定装置のブロック図
【図３】実施例の温度測定装置の温度とＡ／Ｄ変換値の特性を示す特性図
【図４】実施例の冷蔵庫のフローチャート
【発明を実施するための形態】
【０００８】
本発明の実施例について、添付の図面を参照しながら説明する。
【０００９】
図１は本実施例の冷蔵庫１００の断面図、図２は本実施例における温度測定装置１０のブロック図、図３は本実施例の温度とＡ／Ｄ変換値の特性を示すグラフである。
【００１０】
冷蔵庫１００は、少なくとも１つ以上の扉によって、断熱仕切壁で区画された１つ以上の貯蔵空間を開閉可能である。貯蔵空間としては、冷蔵温度帯、冷凍温度帯、氷温温度帯、チルド温度帯、野菜室温度帯、ワイン冷蔵温度帯、パーシャル温度帯、解凍温度帯、又は急速冷却、冷凍、冷蔵、若しくは解凍温度帯から選択して設定可能な切替室１１０と、切替室１１０の設定温度帯を指定するユーザからの操作を受付ける切替手段１２０と、温度測定装置１０とを有する。切替室１１０は１つ又は２つ以上設けることができ、切替室１１０以外の貯蔵室、すなわち温度帯が固定の貯蔵室を有していても良い。
【００１１】
温度測定装置１０は、切替室１１０それぞれに配された検温抵抗としてのサーミスタ１１を有する。本実施例の切替室１１０は、冷蔵温度帯と冷凍温度帯とを切替可能であるがその他の温度帯に切替可能であっても良い。
【００１２】
温度測定装置１０は、サーミスタ１１、主基準抵抗１２、ＶREF+電圧発生回路１３、ＶREF-電圧発生回路１４、Ａ／Ｄ変換手段１５、メモリ手段１６、演算制御手段１７、出力手段１８、トランジスタ等のスイッチング素子１９、副基準抵抗２０、切替手段１２０、温度表示部１３０を有する。
【００１３】
サーミスタ１１は、周囲温度に応じて電気抵抗値が変化する素子であり、一端が接地している。主基準抵抗１２と副基準抵抗２０とはそれぞれ、一端がサーミスタ１１の他端に電気的に接続している。主基準抵抗１２の他端は電源正側Ｖｃｃに接続しており、副基準抵抗２０の他端は、スイッチング素子１９を介して電源正側Ｖｃｃに接続している。電源正側Ｖｃｃとサーミスタ１１の他端とは、それぞれ庫内制御マイコンに電気的に接続している。このような構成により、スイッチング素子１９のＯＮ／ＯＦＦが切り替わると庫内制御マイコンに接続する抵抗値が離散的に変動するので、庫内制御マイコンに印加される電圧が離散的に変動する。また、サーミスタ１１の周囲温度の変動が生じると庫内制御マイコンに印加される電圧が連続的に変動する。この電圧は、庫内制御マイコンに配されたＡ／Ｄ変換手段１５によってＡ／Ｄ変換される。
【００１４】
庫内制御マイコンに含まれるメモリ手段１６は、温度変化に対するＡ／Ｄ変換値とサーミスタ１１周囲温度との対応テーブルを複数種格納している。対応テーブルは、切替手段１２０によって指定可能な温度帯の種類数が用意されており、本実施例では、冷凍温度帯用と冷蔵温度帯用の２種が格納されている。演算制御手段１７がＡ／Ｄ変換値に対応する温度値を読み出す。
【００１５】
本実施例のように指定可能な温度帯の種類が２である場合、切替手段１２０がユーザの指定を受付けると、指定の温度帯を確認する。指定が冷凍温度帯であるとスイッチング素子１９をＯＦＦすることでサーミスタへの基準温度が主基準抵抗１２とサーミスタ１１の抵抗値で与えられるようにする。また、例えば同時に、メモリ手段１６から読み出すテーブルを冷凍温度帯用に設定する。
【００１６】
一方、指定が冷蔵温度帯であるとスイッチング素子１９をＯＮすることでサーミスタへの基準温度が主基準抵抗１２及び副基準抵抗１９とサーミスタ１１の抵抗値で与えられるようにする。また、例えば同時に、メモリ手段１６から読み出すテーブルを冷蔵温度帯用に設定する。また、設定された温度帯を温度表示部１３０がユーザが知覚可能な態様で出力する。
【００１７】
図３に例示するように、スイッチング素子１９がＯＮの場合、高温領域における温度変化に対してＡ／Ｄ変換値の変化が比較的大きく、ＯＦＦの場合、低温領域における温度変化に対してＡ／Ｄ変換値の変化が比較的大きい特定を示すようになる。
【００１８】
なお、図３のスイッチング素子１９がＯＮの場合とＯＦＦの場合の温度変化に対するＡ／Ｄ変換値特性は、互いに形状が異なる（平行移動で重なる関係ではない）ものになり得る。その理由としては、スイッチング素子１９のＯＮ時におけるコレクタ損失や、サーミスタの配線からのノイズ、ノイズ低減の為にフィルタ回路を設ける場合はフィルタ回路による時定数を介して安定的な検出電圧ができるまでのタイムラグ等が生じることによる。
【００１９】
なお、切替手段１２０が受付可能な温度帯の種類が３以上である場合は、さらに使用する副基準抵抗とスイッチング素子との直列回路の組数や基準抵抗の数を並列に増やせばよい。
【００２０】
図４は本実施例の冷蔵庫１００の制御フローチャートである。冷却運転を行う冷蔵庫１００は、切替手段１２０から温度帯の指定を受付けるまで待機し（ステップＳ１００）、受付けた場合はその指定が何であるか確認する（ステップＳ１１０）。冷凍温度帯の場合（ステップＳ１１０，冷凍）、スイッチング素子１９をＯＦＦするとともにメモリ手段１６から読み出すテーブルを冷凍温度帯用に設定する。冷蔵温度帯の場合（ステップＳ１１０，冷蔵）、スイッチング素子１９をＯＮにするとともにメモリ手段１６から読み出すテーブルを冷蔵温度帯用に設定する。
【００２１】
スイッチング素子１９や読み出すテーブルの切替は、指定を受けた直後に行ってもよいし、所定時間後に切替えたり何らかのトリガーを検知して行っても良い。トリガーとしては、例えば、指定を受けた後に所定温度以上検知温度の変化を検知してからにできる。具体的には、冷凍温度帯とする指定から冷蔵温度帯とする指定（すなわち、より高温の温度帯に変更する指定）を受けた場合、その指定後に所定温度以上温度が増加したことを検知したらスイッチング素子１９やテーブルを切替えることができる。同様に、より低温の温度帯に変更する指定を受けた場合は、その指定後に所定温度以上温度が低下したことを検知したらスイッチング素子１９やテーブルを切替えることができる。このように、指定を受けてから所定時間経過するまで又は何らかの条件を満たすまで待機してからスイッチング素子１９やテーブルを切替えることができる。
また、ユーザから温度帯の指定のみを受付けるようにして、現在の各切替室の温度状態と、ユーザが指定した切替室の新たな温度帯とを比較して、切替が短時間で可能な切替室をユーザに通知するようにしてもよい。
【００２２】
切替室１１０が複数ある場合、それらについて独立して切替手段１２０は温度帯の指定を受付けることができる。この場合、温度測定装置１０は切替室１１０の数と同数用意されていることができる。また、切替手段１２０への温度帯の指定は、冷蔵庫本体の正面又は内部に設けた操作パネルに限らず他の端末から無線通信を介して行われても良い。  切替手段１２０に対して、冷蔵庫１００に設けられた又はユーザが使用可能な無線端末を介して、外部サーバから新たな温度帯に制御するためのプログラムをダウンロード可能に構成されても良い。
【符号の説明】
【００２３】
１００  冷蔵庫
１１０  切替室
１２０  切替手段
１１    サーミスタ（検温抵抗）
１２ 主基準抵抗
１３ ＶREF+電圧発生回路
１４ ＶREF-電圧発生回路
１５ Ａ／Ｄ変換手段
１６ メモリ手段
１７ 演算制御手段
１８ 出力手段
１９ スイッチング素子（抵抗調整部）
２０ 副基準抵抗
【図１】
2020051635.tif 000003
【図２】
2020051635.tif 000004
【図３】
2020051635.tif 000005
【図４】
2020051635.tif 000006